(57)【要約】【課題】点灯領域の全面において同一の白色度で発光させつつ、低消費電力を実現することができるようにする。【解決手段】メモリ７３には、バックライト１２の各領域Ａijが同一の白色度および発光輝度となる電流値が記憶されている。電流制御部７４は、メモリ７３に記憶されている電流値となるように、電源供給部１４が領域ＡijのLED５１R，LED５１G、およびLED５１Bに供給する電流値を制御する。パルス幅決定部７１は、発光輝度に応じたパルス信号のパルス幅Ｗを決定し、パルス生成部７２は、決定されたパルス幅Ｗのパルス信号を生成し、領域Ａijのスイッチング素子５３に供給する。本発明は、例えば、液晶表示装置に適用できる。【選択図】図２
2008181749.tif 000002
【特許請求の範囲】
【請求項１】
点灯領域を分割した複数の領域それぞれに対して、赤色、緑色、および青色の発光素子と、前記発光素子による発光をオンまたはオフするスイッチング素子とを備え、各領域の発光輝度を個別に変えることが可能なバックライトを制御するバックライト装置において、
前記スイッチング素子に供給するパルス信号のパルス幅を変化させることによって、前記領域の発光輝度を制御する発光輝度制御手段と、
前記赤色、緑色、および青色それぞれの発光素子に供給する電流値であって、前記赤色、緑色、および青色の発光素子による光の白色度および発光輝度が所定の値となる電流値を、前記複数の領域それぞれについて記憶する電流値記憶手段と、
前記電流値記憶手段の前記電流値となるように、前記赤色、緑色、および青色それぞれの発光素子に供給する前記電流値を制御する電流制御手段と
を備えるバックライト装置。
【請求項２】
前記赤色、緑色、および青色の発光素子それぞれによる光の色度および発光輝度に基づいて、前記電流値を決定する電流値決定手段をさらに備える
請求項１に記載のバックライト装置。
【請求項３】
点灯領域を分割した複数の領域それぞれに対して、赤色、緑色、および青色の発光素子と、前記発光素子による発光をオンまたはオフするスイッチング素子とを備え、各領域の発光輝度を個別に変えることが可能なバックライトを制御するバックライト制御処理を行うバックライト制御方法において、
前記スイッチング素子に供給するパルス信号のパルス幅を変化させることによって、前記領域の発光輝度を制御し、
前記赤色、緑色、および青色それぞれの発光素子に供給する電流値であって、前記赤色、緑色、および青色の発光素子による光の白色度および発光輝度が所定の値となる電流値となるように、前記赤色、緑色、および青色それぞれの発光素子に供給する前記電流値を制御する
ステップを含むバックライト制御方法。
【請求項４】
点灯領域を分割した複数の領域それぞれに対して、赤色、緑色、および青色の発光素子と、前記発光素子による発光をオンまたはオフするスイッチング素子とを有し、各領域の発光輝度を個別に変えることが可能なバックライトを備える液晶表示装置において、
前記スイッチング素子に供給するパルス信号のパルス幅を変化させることによって、前記領域の発光輝度を制御する発光輝度制御手段と、
前記赤色、緑色、および青色それぞれの発光素子に供給する電流値であって、前記赤色、緑色、および青色の発光素子による光の白色度および発光輝度が所定の値となる電流値を、前記複数の領域それぞれについて記憶する電流値記憶手段と、
前記電流値記憶手段の前記電流値となるように、前記赤色、緑色、および青色それぞれの発光素子に供給する前記電流値を制御する電流制御手段と
を備える液晶表示装置。
【発明の詳細な説明】
【技術分野】
【０００１】
本発明は、バックライト装置、バックライト制御方法、および液晶表示装置に関し、特に、点灯領域の全面において同一の白色度で発光させつつ、低消費電力を実現することができるようにするバックライト装置、バックライト制御方法、および液晶表示装置に関する。
【背景技術】
【０００２】
液晶表示装置（LCD: Liquid crystal display）は、赤色（以下、単にRという）、緑色（以下、単にGという）、および青色（以下、単にBという）の着色がされているカラーフィルタ基板、液晶層などを有する液晶パネルと、その背面側に配置されるバックライトなどにより構成される。
【０００３】
液晶表示装置では、電圧を変化させることにより液晶層の液晶分子のねじれが制御され、液晶分子のねじれに応じて液晶層を透過してきたバックライトの白色光がR,G、またはBのカラーフィルタを通過することによりR,G、またはBの色の光となって、画像が表示される。
【０００４】
なお、以下では、電圧を変化させることにより液晶分子のねじれを制御して光の透過率を変更することを、液晶透過率の制御という。また、光源であるバックライトから出射された光の輝度を「発光輝度」と称し、液晶表示装置に表示された画像を視認する視聴者が感じる光の強度である、液晶パネルの前面から出射される光の輝度を「表示輝度」と称する。
【０００５】
従来、液晶表示装置のバックライトの光源としては、例えば、冷陰極蛍光放電管（以下、CCFLと称する）や白色LED (Light Emitting Diode）が使用されていた。バックライトの光源として、CCFLや白色LEDを採用した液晶表示装置では、CIE（Commission Internationale de I’Eclairage：国際照明委員会）１９３１表色系によるｘｙ色度図においてR，G、およびBを頂点とする三角形の面積で表される色の再現範囲が、CRT（Cathode Ray Tube）ディスプレイと比較して狭いという問題がある。
【０００６】
この問題に対し、バックライトの光源として、R，G、およびBのLEDを採用することにより、色の再現範囲を向上させた液晶表示装置が、例えば、特許文献１において提案されている。
【０００７】
特許文献１に記載の液晶表示装置では、バックライトは複数のLEDブロックからなり、各LEDブロックは、R，G、およびBのLEDによって構成されている。そして、各LEDブロックにおいて、色温度が白色光を表す所定の規格値となるようにR，G、およびBのLEDに供給する電流値が調整され、さらに、全てのLEDブロックが同一かつ最大の発光輝度となるように、各LEDブロックのR，G、およびBのLEDに供給する電流値が調整される。これにより、バックライトの全面において、同一の色温度および最大輝度の発光を実現している。
【０００８】
しかしながら、特許文献１に記載の液晶表示装置のバックライトは、液晶パネルの画面全体を均一かつ最大の明るさで常時照明するので、例えば、暗い画像を表示する場合においても、バックライトは最大の発光輝度で発光するので、消費電力が大きい、および表示輝度のコントラスト比が低いという問題があった。
【０００９】
そこで、消費電力を低減するために、液晶パネルの画面全体を均一かつ最大の明るさで常時照明するのではなく、バックライトの点灯領域を複数の領域に分割し、各領域の発光輝度を、画像の輝度分布に応じて変化させるやり方がある（例えば、特許文献２，３参照）。
【特許文献１】特許第３７６６０４２号公報
【特許文献２】特開２００４−２１２５０３号公報
【特許文献３】特開２００４−２４６１１７号公報
【発明の開示】
【発明が解決しようとする課題】
【００１０】
しかしながら、例えば、特許文献１に記載のバックライトの各LEDブロックを、点灯領域を分割した各領域に対応させ、LEDブロックの発光輝度を各領域の画像の輝度分布に応じて変化させるようにした場合、即ち、白色度の制御と発光輝度の制御の両方を電流値で行った場合、電流値の制御が複雑になるとともに、LED個々の特性の違いにより、隣接する領域の光が混合して白色ではない色で発光してしまうことも起こり得る。
【００１１】
本発明は、このような状況に鑑みてなされたものであり、点灯領域の全面において同一の白色度で発光させつつ、低消費電力を実現することができるようにするものである。
【課題を解決するための手段】
【００１２】
本発明の第１の側面のバックライト装置は、点灯領域を分割した複数の領域それぞれに対して、赤色、緑色、および青色の発光素子と、前記発光素子による発光をオンまたはオフするスイッチング素子とを備え、各領域の発光輝度を個別に変えることが可能なバックライトを制御するバックライト装置において、前記スイッチング素子に供給するパルス信号のパルス幅を変化させることによって、前記領域の発光輝度を制御する発光輝度制御手段と、前記赤色、緑色、および青色それぞれの発光素子に供給する電流値であって、前記赤色、緑色、および青色の発光素子による光の白色度および発光輝度が所定の値となる電流値を、前記複数の領域それぞれについて記憶する電流値記憶手段と、前記電流値記憶手段の前記電流値となるように、前記赤色、緑色、および青色それぞれの発光素子に供給する前記電流値を制御する電流制御手段とを備える。
【００１３】
前記赤色、緑色、および青色の発光素子それぞれによる光の色度および発光輝度に基づいて、前記電流値を決定する電流値決定手段をさらに設けることができる。
【００１４】
本発明の第１の側面のバックライト制御方法は、点灯領域を分割した複数の領域それぞれに対して、赤色、緑色、および青色の発光素子と、前記発光素子による発光をオンまたはオフするスイッチング素子とを備え、各領域の発光輝度を個別に変えることが可能なバックライトを制御するバックライト制御処理を行うバックライト制御方法において、前記スイッチング素子に供給するパルス信号のパルス幅を変化させることによって、前記領域の発光輝度を制御し、前記赤色、緑色、および青色それぞれの発光素子に供給する電流値であって、前記赤色、緑色、および青色の発光素子による光の白色度および発光輝度が所定の値となる電流値となるように、前記赤色、緑色、および青色それぞれの発光素子に供給する前記電流値を制御するステップを含む。
【００１５】
本発明の第２の側面の液晶表示装置は、点灯領域を分割した複数の領域それぞれに対して、赤色、緑色、および青色の発光素子と、前記発光素子による発光をオンまたはオフするスイッチング素子とを有し、各領域の発光輝度を個別に変えることが可能なバックライトを備える液晶表示装置において、前記スイッチング素子に供給するパルス信号のパルス幅を変化させることによって、前記領域の発光輝度を制御する発光輝度制御手段と、前記赤色、緑色、および青色それぞれの発光素子に供給する電流値であって、前記赤色、緑色、および青色の発光素子による光の白色度および発光輝度が所定の値となる電流値を、前記複数の領域それぞれについて記憶する電流値記憶手段と、前記電流値記憶手段の前記電流値となるように、前記赤色、緑色、および青色それぞれの発光素子に供給する前記電流値を制御する電流制御手段とを備える。
【００１６】
本発明の第１および第２の側面においては、スイッチング素子に供給するパルス信号のパルス幅を変化させることによって、点灯領域を分割した複数の領域それぞれの発光輝度が制御されるとともに、赤色、緑色、および青色それぞれの発光素子に供給する電流値であって、赤色、緑色、および青色の発光素子による光の白色度および発光輝度が所定の値となる電流値となるように、赤色、緑色、および青色それぞれの発光素子に供給する電流値が制御される。
【発明の効果】
【００１７】
本発明によれば、点灯領域の全面において同一の白色度で発光させつつ、低消費電力を実現することができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の第１の側面のバックライト装置は、点灯領域を分割した複数の領域それぞれに対して、赤色、緑色、および青色の発光素子（例えば、図２のLED５１R，LED５１G，LED５１B）と、前記発光素子による発光をオンまたはオフするスイッチング素子（例えば、図２のスイッチング素子５３）とを備え、各領域の発光輝度を個別に変えることが可能なバックライト（例えば、図１のバックライト１２）を制御するバックライト装置（例えば、図１の光源制御回路３２）において、前記スイッチング素子に供給するパルス信号のパルス幅を変化させることによって、前記領域の発光輝度を制御する発光輝度制御手段（例えば、図２の輝度制御部６１）と、前記赤色、緑色、および青色それぞれの発光素子に供給する電流値であって、前記赤色、緑色、および青色の発光素子による光の白色度および発光輝度が所定の値となる電流値を、前記複数の領域それぞれについて記憶する電流値記憶手段（例えば、図２のメモリ７３）と、前記電流値記憶手段の前記電流値となるように、前記赤色、緑色、および青色それぞれの発光素子に供給する前記電流値を制御する電流制御手段（例えば、図２の電流制御部７４）とを備える。
【００２０】
前記赤色、緑色、および青色の発光素子それぞれによる光の色度および発光輝度に基づいて、前記電流値を決定する電流値決定手段（例えば、図２の電流値決定部７５）をさらに設けることができる。
【００２１】
本発明の第１の側面のバックライト制御方法は、点灯領域を分割した複数の領域それぞれに対して、赤色、緑色、および青色の発光素子と、前記発光素子による発光をオンまたはオフするスイッチング素子とを備え、各領域の発光輝度を個別に変えることが可能なバックライトを制御するバックライト制御処理を行うバックライト制御方法において、前記スイッチング素子に供給するパルス信号のパルス幅を変化させることによって、前記領域の発光輝度を制御し（例えば、図６のステップＳ３２およびＳ３３）、前記赤色、緑色、および青色それぞれの発光素子に供給する電流値であって、前記赤色、緑色、および青色の発光素子による光の白色度および発光輝度が所定の値となる電流値となるように、前記赤色、緑色、および青色それぞれの発光素子に供給する前記電流値を制御する（例えば、図６のステップＳ３１）ステップを含む。
【００２２】
以下、図を参照して、本発明の実施の形態について説明する。
【００２３】
図１は、本発明を適用した液晶表示装置の一実施の形態の構成例を示している。
【００２４】
図１の液晶表示装置１は、赤色（R）、緑色（G）、および青色（B）の着色がされているカラーフィルタ基板、液晶層などを有する液晶パネル１１、液晶パネル１１の背面側に配置されるバックライト１２、液晶パネル１１およびバックライト１２を制御する制御部１３、並びに、液晶表示装置１の各部に電源を供給する電源供給部１４により構成されている。
【００２５】
液晶表示装置１は、入力される画像信号に対応する原画像を所定の表示領域（表示部２１）に表示する。なお、液晶表示装置１に入力される画像信号は、例えば、６０Hzのフレームレートの画像（以下、フィールド画像という）に対応する。
【００２６】
液晶パネル１１は、バックライト１２からの光を透過させる開口部が複数配列されている表示部２１、並びに、表示部２１の開口部それぞれに設けられている図示しないトランジスタ（TFT：Thin Film Transistor）に駆動信号を送出するソースドライバ２２およびゲートドライバ２３により構成されている。
【００２７】
なお、開口部を通過した光は、図示せぬカラーフィルタ基板上に形成されているR，G、またはBのカラーフィルタによってR，G、またはBの光に変換される。このR，G、およびBの光を発する３つの開口部からなる組が表示部２１の１画素に対応し、R，G、またはBの光を発する各開口部は、画素を構成する副画素となる。
【００２８】
バックライト１２は、表示部２１に対応する所定の点灯領域において白色の光を発する。バックライト１２の点灯領域は複数の領域に分割されており、分割された複数の領域それぞれについて個別に点灯が制御される。
【００２９】
本実施の形態では、バックライト１２の点灯領域が、水平方向に５分割、垂直方向に６分割された領域Ａ11乃至Ａ56により構成されており、バックライト１２は、領域Ａ11乃至Ａ56に対応する光源BL11乃至BL56を有する。
【００３０】
領域Ａij（ｉ＝１乃至５，ｊ＝１乃至６）に配置されている光源BLijは、例えば、所定の順序で配列されたR，G、およびBの光を発する発光素子であるLED（Light Emitting Diode：発光ダイオード）により構成される。光源BLijは、光源制御回路３２から供給される制御信号に基づいて、R、G、およびBの混合により得られる白色の光を発生する。光源制御回路３２から供給される制御信号は、パルス幅Ｗのパルス信号である。
【００３１】
なお、領域Ａ11乃至Ａ56は、バックライト１２の点灯領域を、仕切り板等を用いて物理的に分割したものではなく、光源BL11乃至BL56に対応する領域として仮想的に分割したものである。従って、光源BLijから出射された光は、図示しない拡散板等によって拡散されて、光源BLijに対応する領域Ａijだけでなく、その領域Ａijの周辺の領域に対しても照射されるが、本実施の形態では、説明を簡単にするため、領域Ａijで必要な表示輝度Ａreqijは、光源BLijによって得られるものとする。
【００３２】
制御部１３は、液晶パネル１１を制御する液晶パネル制御回路３１と、バックライト１２を制御する光源制御回路３２により構成される。
【００３３】
液晶パネル制御回路３１には、フィールド画像に対応する画像信号が他の装置から供給される。液晶パネル制御回路３１は、供給された画像信号からフィールド画像の輝度分布を求める。そして、液晶パネル制御回路３１は、フィールド画像の輝度分布から、領域Ａijで必要な表示輝度Ａreqijを算出する。
【００３４】
さらに、液晶パネル制御回路３１は、領域Ａijで必要な表示輝度Ａreqijから、光源BLijの発光輝度を設定する輝度設定値BLsetijと、各画素の液晶透過率を決定する８ビットの値である設定階調Ｓ_dataを算出する。設定階調Ｓ_dataは、駆動制御信号として液晶パネル１１のソースドライバ２２およびゲートドライバ２３に供給され、輝度設定値BLsetijは、光源制御回路３２に供給される。
【００３５】
光源制御回路３２は、液晶パネル制御回路３１から供給される輝度設定値BLsetijに基づいてパルス幅Ｗを設定し、そのパルス幅Ｗのパルス信号をバックライト１２に供給する。これにより、バックライト１２の領域Ａijに配置されている光源BLijは、輝度設定値BLsetijに応じた発光輝度で発光する。
【００３６】
また、光源制御回路３２は、光源BLijを構成するR、G、およびBのLEDそれぞれについて、光源BL11乃至BL56のすべてが同一の白色度（色温度）および発光輝度となるように決定された電流値を記憶しており、その電流値となるように、電源供給部１４からバックライト１２に供給される電流値を制御する。
【００３７】
なお、光源制御回路３２は、バックライト１２とともにバックライト装置を構成する。
【００３８】
電源供給部１４は、液晶パネル１１、バックライト１２、および制御部１３の各部へ電源を供給する。
【００３９】
図２は、バックライト１２と光源制御回路３２の詳細な構成を示す機能ブロック図である。
【００４０】
バックライト１２は、領域Ａijにおいて、Rの光を発するLED５１R、Gの光を発するLED５１G、およびBの光を発するLED５１Bと、発光輝度を計測する輝度計測部５２およびスイッチング素子５３とを有する。
【００４１】
光源制御回路３２は、輝度制御部６１と色度制御部６２とからなる。輝度制御部６１は、パルス幅決定部７１とパルス生成部７２を有し、PWM(Pulse Width Modulation)制御を行うことによって、領域Ａ11乃至Ａ56の発光輝度を個別に制御する。色度制御部６２は、メモリ７３、電流制御部７４、および電流値決定部７５を有し、PAM(Pulse Amplitude Modulation)制御を行うことによって、領域Ａ11乃至Ａ56それぞれから発せられる光の色度を個別に制御する。
【００４２】
バックライト１２の領域Ａijに設けられたLED５１R、LED５１G、およびLED５１Bそれぞれは複数個のLEDにより構成され、電源供給部１４は、LED５１R、LED５１G、およびLED５１Bのそれぞれに異なる電流値の信号を供給することができる。
【００４３】
輝度計測部５２は、例えば、フォトダイオードによって構成される。輝度計測部５２は、赤色、緑色、または青色の光の混合による白色光の発光輝度を計測し、計測結果を電流値決定部７５に供給する。スイッチング素子５３は、例えば、FET（Field Effect Transistor：電界効果トランジスタ）などからなり、パルス生成部７２から所定のレベルの信号が供給されると、LED５１R，LED５１G、およびLED５１Bに電流を流すスイッチとして機能する。LED５１R，LED５１G、およびLED５１Bは、供給される電流値に応じた輝度で発光する。
【００４４】
なお、バックライト１２の１つの領域Ａijに対して、スイッチング素子５３をLED５１R、LED５１G、およびLED５１Bごとに別個に設けてもよいし、LED５１R、LED５１G、およびLED５１Bのそれぞれに対してスイッチング素子５３を複数設けてもよい。また、輝度計測部５２は、領域Ａij内の所定の１点で計測してもよいし、複数点で計測してもよい。即ち、領域Ａijに配置されるLED５１R、LED５１G、LED５１B、輝度計測部５２、およびスイッチング素子５３の個数については特に限定されない。
【００４５】
液晶パネル制御回路３１から供給された輝度設定値BLsetijは、輝度制御部６１のパルス幅決定部７１に供給される。パルス幅決定部７１は、液晶パネル制御回路３１から供給される輝度設定値BLsetijに応じて、領域Ａijのスイッチング素子５３に供給するパルス信号のパルス幅Ｗを決定する。ここで、パルス幅Ｗは、パルス信号のハイレベル（Highレベル）区間の幅を表す。パルス生成部７２は、パルス幅決定部７１により決定されたパルス幅Ｗのパルス信号を生成し、領域Ａijのスイッチング素子５３に供給する。
【００４６】
メモリ７３は、領域Ａ11乃至Ａ56と、その各領域のLED５１R，LED５１G、およびLED５１Bに供給する電流値とが対応付けられたLUT(ルックアップテーブル)を記憶する。このLUTに記憶されている電流値は、領域ＡijのLED５１R，LED５１G、およびLED５１Bがそれぞれの色で発光したときに、R、G、およびBの混合により得られる光が、領域Ａ11乃至Ａ56において同一の白色度および発光輝度となる電流値である。
【００４７】
電流制御部７４は、メモリ７３に記憶されている電流値に基づいて、電源供給部１４が領域ＡijのLED５１R，LED５１G、およびLED５１Bに供給する電流値を制御する。即ち、電流制御部７４は、領域ＡijのLED５１R，LED５１G、およびLED５１Bに供給される電流値が、メモリ７３のLUTに記憶されている電流値となるように電源供給部１４を制御する。また、電流制御部７４は、領域ＡijのLED５１R，LED５１G、およびLED５１Bに供給される電流値が、電流値決定部７５から指定された電流値となるように電源供給部１４を制御することもできる。
【００４８】
電流値決定部７５は、領域Ａ11乃至Ａ56が同一の白色度および発光輝度となるように、電源供給部１４から領域ＡijのLED５１R，LED５１G、およびLED５１Bに供給される電流値を決定する。なお、以下において、LED５１R，LED５１G、またはLED５１Bに供給される電流値をLED電流値ともいう。
【００４９】
具体的には、電流値決定部７５は、電流制御部７４に電流値を指定して、その指定された電流値でLED５１R，LED５１G、およびLED５１Bが発光したときの色度と発光輝度を取得する。LED５１R，LED５１G、およびLED５１Bが発光したときの色度は、色度計などの他の装置によって計測され、電流値決定部７５に供給される。一方、LED５１R，LED５１G、およびLED５１Bが発光したときの発光輝度は、輝度計測部５２から供給される。電流値決定部７５は、LED電流値をさまざまな値に変更し、そのときの色度を確認して、色度が予め決められた所定の白色度（以下、基準白色度という）となるLED電流値IRij，ＩGij、およびＩBijを決定する。この処理を全領域Ａ11乃至Ａ56で実行することにより、領域Ａ11乃至Ａ56において発光する光の白色度が同一のものとなる。
【００５０】
しかしながら、領域Ａ11乃至Ａ56それぞれの発光輝度はまだ同一ではない。そこで、電流値決定部７５は、次に、領域Ａ11乃至Ａ56のうちの所定の領域、例えば、発光輝度が領域Ａ11乃至Ａ56のなかで最も高い領域を基準領域として、その基準領域の発光輝度に他の領域の発光輝度を合わせるための係数Ｋijを算出する。
【００５１】
即ち、電流値決定部７５は、決定されたLED電流値IRij，ＩGij、およびＩBijに対して所定の倍率ＫijだけLED５１R，LED５１G、およびLED５１Bに供給する電流値を増大させ、輝度計測部５２から供給される領域Ａijの発光輝度が基準領域の発光輝度と同一となるLED電流値I’Rij，Ｉ’Gij、およびＩ’Bijを決定する。
【００５２】
従って、バックライト１２の全領域Ａ11乃至Ａ56において同一の白色度および発光輝度となる、領域ＡijのLED５１R，LED５１G、およびLED５１Bに供給する電流値は、I’Rij＝IRij×Ｋij，Ｉ’Gij＝ＩGij×Ｋij，Ｉ’Bij＝ＩBij×Ｋijと表すことができる。なお、基準領域の係数Ｋijは１である。
【００５３】
電流値決定部７５は、以上のようにして決定された、領域Ａ11乃至Ａ56において同一の白色度および発光輝度となる、領域ＡijのLED電流値I’Rij＝IRij×Ｋij，Ｉ’Gij＝ＩGij×Ｋij，Ｉ’Bij＝ＩBij×Ｋijを、LUTとしてメモリ７３に記憶させる。
【００５４】
図３のフローチャートを参照して、メモリ７３に記憶されるLUTを作成するLUT作成処理について説明する。この処理は、例えば、液晶表示装置１の製造時の初期設定として実行される。
【００５５】
初めに、ステップＳ１１において、パルス幅決定部７１は、色度調整時のパルス幅として予め決定されたパルス幅Ｗをパルス生成部７２に供給し、パルス生成部７２は、パルス幅決定部７１から供給されたパルス幅Ｗのパルス信号を生成して、領域Ａijのスイッチング素子５３に供給する。
【００５６】
また、ステップＳ１１において、色度制御部６２は、領域Ａ11乃至Ａ56のなかの所定の領域ＡijのGのLED５１Gに対する電流値を所定の値ＩG0に設定する。即ち、電流値決定部７５が、領域ＡijのLED５１Gに供給するLED電流値として電流値ＩG0を電流制御部７４に対して指定し、電流制御部７４は、領域ＡijのLED５１Gに供給するLED電流値が電流値ＩG0となるように、電源供給部１４を制御する。
【００５７】
ステップＳ１２において、色度制御部６２は、領域ＡijのRのLED５１Rに対する電流値を所定の値ＩRijに設定する。即ち、電流値決定部７５が、領域ＡijのLED５１Rに供給するLED電流値として電流値ＩRijを電流制御部７４に対して指定し、電流制御部７４は、領域ＡijのLED５１Rに供給するLED電流値が電流値ＩRijとなるように、電源供給部１４を制御する。
【００５８】
ステップＳ１３において、色度制御部６２は、領域ＡijのBのLED５１Bに対する電流値を所定の値ＩBijに設定する。即ち、電流値決定部７５が、領域ＡijのLED５１Bに供給するLED電流値として電流値ＩBijを電流制御部７４に対して指定し、電流制御部７４は、領域ＡijのLED５１Bに供給するLED電流値が電流値ＩBijとなるように、電源供給部１４を制御する。
【００５９】
ステップＳ１４において、電流値決定部７５は、領域ＡijのLED５１R，LED５１G、およびLED５１Bによる光の白色度が基準白色度となっているかを判定する。
【００６０】
メモリ７３には、LED５１R，LED５１G、およびLED５１Bによる光の白色度をバックライト１２の全領域において同一とするための目標値となる基準白色度を表す数値が、例えば、CIE１９３１表色系によるｘｙ色度図の（ｘ，ｙ）座標で記憶されている。電流値決定部７５は、他の装置から取得した色度と、メモリ７３に記憶されている基準白色度とを比較することにより、領域ＡijのLED５１R，LED５１G、およびLED５１Bによる光の白色度が、メモリ７３に記憶された基準白色度となっているかどうかを判定する。なお、電流値決定部７５は、他の装置で計測されて電流値決定部７５に供給された色度（白色度）と基準白色度との誤差が所定の許容値ε以内であるときに、領域ＡijのLED５１R，LED５１G、およびLED５１Bによる光の白色度が、メモリ７３に記憶された基準白色度となっていると判定する。
【００６１】
ステップＳ１４で、領域ＡijのLED５１R，LED５１G、およびLED５１Bによる光の白色度が基準白色度となっていないと判定された場合、処理は、ステップＳ１２に戻り、ステップＳ１２乃至Ｓ１４の処理が再度実行される。即ち、LED５１RおよびLED５１Bに供給するLED電流値ＩRijおよびＩBijが、これまでと異なる値に設定され、再度、領域ＡijのLED５１R，LED５１G、およびLED５１Bによる光の白色度が、基準白色度となっているかが判定される。
【００６２】
一方、ステップＳ１４で、領域ＡijのLED５１R，LED５１G、およびLED５１Bによる光の白色度が基準白色度となっていると判定された場合、ステップＳ１５において、電流値決定部７５は、いまのLED電流値ＩRij，ＩG0、およびＩBijを基準白色度となるLED電流値として決定する。
【００６３】
ステップＳ１６において、電流値決定部７５は、輝度計測部５２から供給される領域Ａijの発光輝度を取得する。ここで取得された発光輝度は、領域ＡijのLED５１R，LED５１G、およびLED５１Bが、基準白色度で発光しているときの輝度である。
【００６４】
ステップＳ１７において、電流値決定部７５は、バックライト１２のすべての領域について、基準白色度となるLED電流値を求めたかを判定する。
【００６５】
ステップＳ１７で、バックライト１２のすべての領域について、基準白色度となるLED電流値をまだ求めていないと判定された場合、処理はステップＳ１１に戻り、基準白色度となるLED電流値を求めていない領域Ａijに対して、上述したステップＳ１１乃至Ｓ１７の処理が実行される。即ち、基準白色度となるLED電流値をまだ求めていない領域ＡijのLED電流値ＩRij，ＩG0、およびＩBijが求められる。
【００６６】
一方、ステップＳ１７で、バックライト１２のすべての領域について、基準白色度となるLED電流値を求めたと判定された場合、ステップＳ１８において、電流値決定部７５は、バックライト１２の各領域Ａijの発光輝度を合わせる係数Ｋijを算出する。即ち、電流値決定部７５は、領域Ａ11乃至Ａ56のうちの所定の領域、例えば、発光輝度が領域Ａ11乃至Ａ56のなかで最も高い領域を基準領域として決定する。そして、電流値決定部７５は、基準白色度となる領域ＡijのLED電流値IRij，ＩG0、およびＩBijを所定の倍率Ｋijだけ増大させたLED電流値I’Rij，Ｉ’G0、およびＩ’Bijを電流制御部７４に指定し、LED５１R，LED５１G、およびLED５１BをLED電流値I’Rij，Ｉ’ G0、およびＩ’Bijで発光させたときの発光輝度を領域Ａijの輝度計測部５２から取得する処理を、輝度計測部５２から取得される領域Ａijの発光輝度が、基準領域の発光輝度と同一となるまで倍率Ｋijを変更して繰り返し実行することにより、係数Ｋijを決定する。
【００６７】
ステップＳ１９において、電流値決定部７５は、領域Ａ11乃至Ａ56において同一の白色度および発光輝度となる、領域ＡijのLED電流値I’Rij＝IRij×Ｋij，Ｉ’Gij＝ＩG0×Ｋij，Ｉ’Bij＝ＩBij×Ｋijを、LUTとしてメモリ７３に記憶させ、処理を終了する。
【００６８】
以上のように、色度制御部６２は、LED５１Gに供給するLED電流値を電流値ＩG0に固定し、他のLED５１RおよびLED５１Bに供給するLED電流値ＩRijおよびＩBijを様々な値に変更して、領域ＡijのLED５１R，LED５１G、およびLED５１Bによる白色度が基準白色度となるLED電流値ＩRij，ＩG0、およびＩBijの組み合わせを決定する。
【００６９】
そして、色度制御部６２は、領域Ａ11乃至Ａ56のうちの、例えば、発光輝度が領域Ａ11乃至Ａ56のなかで最も高い領域を基準領域として、基準領域の発光輝度に合わせる係数Ｋijを決定し、最終的に、基準白色度および同一発光輝度となる領域ＡijのLED電流値I’Rij＝IRij×Ｋij，Ｉ’Gij＝ＩG0×Ｋij、およびＩ’Bij＝ＩBij×ＫijをLUTとしてメモリ７３に記憶させる。
【００７０】
図４は、LUT作成処理後、メモリ７３に記憶されたLUTの例を示している。
【００７１】
メモリ７３には、図４に示されるように、バックライト１２の各領域Ａijと、その領域Ａijに配置されたLED５１R，LED５１G、およびLED５１Bに供給するLED電流値I’Rij＝IRij×Ｋij，Ｉ’Gij＝ＩG0×Ｋij，Ｉ’Bij＝ＩBij×Ｋijとが対応付けて記憶されている。
【００７２】
なお、バックライト１２の各領域Ａijに対して、係数Ｋijを乗算した後のLED電流値I’Rij，Ｉ’Gij，Ｉ’Bijを対応付けるのではなく、図５に示すように、色度を統一するためのLED電流値IRij，ＩG0，ＩBijと、発光輝度を統一するための係数Ｋijを別々に領域Ａijと対応付けて記憶させてもよい。図５は、基準領域が領域Ａ12となっている（係数Ｋ12が１である）例を示している。
【００７３】
次に、図６のフローチャートを参照して、入力される画像信号に対応して画像を表示する場合の、光源制御回路３２のバックライト制御処理について説明する。
【００７４】
初めに、ステップＳ３１において、電流制御部７４は、メモリ７３のLUTに基づいて、バックライト１２の各領域ＡijのLED５１R，LED５１G、およびLED５１Bに供給するLED電流値を制御する。即ち、電流制御部７４は、各領域ＡijのLED５１R，LED５１G、およびLED５１Bに供給される電流値が、メモリ７３のLUTに記憶されている電流値となるように電源供給部１４を制御する。
【００７５】
ステップＳ３２において、パルス幅決定部７１は、液晶パネル制御回路３１から供給された輝度設定値BLsetijに応じて、各領域Ａijのスイッチング素子５３に供給するパルス信号のパルス幅Ｗを決定する。
【００７６】
ステップＳ３３において、パルス生成部７２は、パルス幅決定部７１により決定されたパルス幅Ｗのパルス信号を生成し、各領域Ａijのスイッチング素子５３に供給し、処理を終了する。
【００７７】
上述したバックライト制御処理は、液晶パネル制御回路３１に画像信号が供給され、その画像信号に対応する輝度設定値BLsetijが液晶パネル制御回路３１から光源制御回路３２に供給されている間、繰り返し実行される。
【００７８】
従って、バックライト１２の領域Ａijにおいては、図７に示されるように、電流値I’Rij，Ｉ’Gij、およびＩ’Bijの電流がLED５１R，LED５１G、およびLED５１Bそれぞれに流れたとき、LED５１R，LED５１G、およびLED５１Bは、それぞれ、R，G、およびBの色で発光し、混色によって基準白色度の光となる。電流値I’Rij，Ｉ’Gij、およびＩ’Bijは、LEDの特性の違いにより、同一であるとは限らず、むしろ、異なるのが一般的である。一方、電流値I’Rij，Ｉ’Gij、およびＩ’Bijの電流が流れる１回の期間であるパルス幅Ｗは、LED５１R，LED５１G、およびLED５１Bで同一である。
【００７９】
即ち、液晶表示装置１では、光源BL11乃至BL56のすべてが同一の白色度および発光輝度となるような調整は、光源BLijを構成するLED５１B、LED５１R、LED５１G、およびLED５１Bに供給する電流値を調整することによって行い、画像信号から得られる輝度設定値BLsetijに対応する発光輝度（明るさ）の調整は、パルス信号のDuty比を変更することによって行う。
【００８０】
従って、各領域ＡijのLED５１R、LED５１G、およびLED５１Bに対して供給するパルス信号のパルス幅Ｗを同一にすることができるので、制御（回路）を簡単にすることができる。また、パルス幅Ｗを決定する元となる輝度設定値BLsetijは、入力された画像信号から算出された、領域Ａijで必要な表示輝度Ａreqijから求められるので、バックライト１２を分割駆動しない場合と比べて、不要な発光輝度を抑制し、消費電力を低減することができるとともに、表示輝度のコントラスト比も高くすることができる。
【００８１】
さらに、各領域ＡijのLED５１R、LED５１G、およびLED５１Bに流す電流値は、予め光源BL11乃至BL56のすべてが同一の白色度および発光輝度の光を発するように調整されているので、例えば、隣接する領域どうしの発光色が混色し、色度が基準白色度と異なってしまうということはない。
【００８２】
なお、図３を参照して説明したLUT作成処理では、LED５１Gに供給するLED電流値を電流値ＩG0に固定し、他のLED５１RおよびLED５１Bに供給するLED電流値ＩRijおよびＩBijを様々な値に変更して、領域ＡijのLED５１R，LED５１G、およびLED５１Bによる光の白色度が基準白色度となるLED電流値ＩRij，ＩG0、およびＩBijを決定したが、LED５１G以外のLED５１RまたはLED５１Bに供給するLED電流値を固定して、その他のLED電流値を様々な値に変更し、基準白色度となるLED電流値の組み合わせを決定してもよい。勿論、LED５１G、LED５１R、およびLED５１Bに供給するLED電流値すべてを変えながら、基準白色度となるLED電流値の組み合わせを決定してもよい。
【００８３】
また、図８のフローチャートに示すLUT作成処理によって、基準白色度となるLED電流値の組み合わせを決定してもよい。即ち、図８は、光源制御回路３２によるその他のLUT作成処理のフローチャートを示している。
【００８４】
初めに、ステップＳ５１において、パルス幅決定部７１は、色度調整時のパルス幅として予め決定されたパルス幅Ｗをパルス生成部７２に供給し、パルス生成部７２は、パルス幅決定部７１から供給されたパルス幅Ｗのパルス信号を生成して、領域Ａijのスイッチング素子５３に供給する。
【００８５】
また、ステップＳ５１において、色度制御部６２は、R，G、およびBのLED５１R、LED５１G、およびLED５１Bそれぞれについて、電流−光出力特性を測定する。即ち、色度制御部６２は、LED５１G、およびLED５１Bに供給するLED電流値はゼロにしつつ、LED５１Rに供給するLED電流値を最小値（ゼロ）から許容される最大値まで変更し、各LED電流値に変更したときの領域Ａijの発光輝度を輝度計測部５２から取得して、領域Ａijに配置されたLED５１Rの電流−光出力特性を測定する。また、色度制御部６２は、同様のことをLED５１G、およびLED５１Bに対しても行う。
【００８６】
ステップＳ５２において、電流値決定部７５は、LED５１R、LED５１G、およびLED５１Bそれぞれの電流−光出力特性から、電流値と光出力（発光輝度）とが比例関係にある電流値の範囲のなかの所定の値を、基準電流値として決定する。
【００８７】
また、ステップＳ５２において、色度制御部６２は、基準電流値におけるRの色度を取得する。即ち、電流値決定部７５は、領域ＡijのLED５１Rに供給するLED電流値として基準電流値を電流制御部７４に指定し、電流制御部７４は、LED５１Rに供給するLED電流値が基準電流値となるように、電源供給部１４を制御する。領域ＡijのLED５１GおよびLED５１Bには電流は流れない。このとき、領域ＡijのLED５１Rは基準電流値で発光し、そのときの色度が、他の装置から電流値決定部７５に供給される。
【００８８】
ステップＳ５３において、色度制御部６２は、基準電流値におけるGの色度を取得する。即ち、電流値決定部７５は、領域ＡijのLED５１Gに供給するLED電流値として基準電流値を電流制御部７４に指定し、電流制御部７４は、LED５１Gに供給するLED電流値が基準電流値となるように、電源供給部１４を制御する。領域ＡijのLED５１RおよびLED５１Bには電流は流れない。このとき、領域ＡijのLED５１Gは基準電流値で発光し、そのときの色度が、他の装置から電流値決定部７５に供給される。
【００８９】
ステップＳ５４において、色度制御部６２は、基準電流値におけるBの色度を取得する。即ち、電流値決定部７５は、領域ＡijのLED５１Bに供給するLED電流値として基準電流値を電流制御部７４に指定し、電流制御部７４は、LED５１Bに供給するLED電流値が基準電流値となるように、電源供給部１４を制御する。領域ＡijのLED５１RおよびLED５１Gには電流は流れない。このとき、領域ＡijのLED５１Bは基準電流値で発光し、そのときの色度が、他の装置から電流値決定部７５に供給される。
【００９０】
ステップＳ５５において、電流値決定部７５は、基準電流値におけるR，G、およびBの色度と、基準白色度とから、領域Ａijの各色のLED、即ちLED５１R，LED５１G、およびLED５１Bの輝度割合（輝度比）を算出する。グラスマンの第１法則にもあるように、任意の色は互いに独立した３色の加法混色により等色できるので、基準白色度となるR，G、およびBそれぞれの輝度割合を求めることができる。
【００９１】
ステップＳ５６において、電流値決定部７５は、算出された各色のLEDの輝度割合から、各色のLED電流値ＩRij，ＩGij、およびＩBijを算出する。ここでは、ステップＳ５１で測定されたLED５１R、LED５１G、およびLED５１Bそれぞれの電流−光出力特性が参照され、各色のLED電流値ＩRij，ＩGij、およびＩBijが算出される。
【００９２】
ステップＳ５７において、色度制御部６２は、領域ＡijのLED５１R，LED５１G、およびLED５１Bを、算出された電流値ＩRij，ＩGij、およびＩBijで点灯させる。即ち、電流値決定部７５は、領域ＡijのLED５１Rに供給するLED電流値として電流値ＩRijを電流制御部７４に指定し、電流制御部７４は、LED５１Rに供給するLED電流値が電流値ＩRijとなるように、電源供給部１４を制御する。領域ＡijのLED５１GおよびLED５１Bについても同様である。
【００９３】
ステップＳ５８において、電流値決定部７５は、領域ＡijのLED５１R，LED５１G、およびLED５１Bによる光の白色度が基準白色度となっているかを判定する。
【００９４】
ステップＳ５８で、領域ＡijのLED５１R，LED５１G、およびLED５１Bによる光の白色度が基準白色度となっていないと判定された場合、処理はステップＳ５２に戻り、ステップＳ５２乃至Ｓ５８の処理が再度実行される。
【００９５】
一方、ステップＳ５８で、領域ＡijのLED５１R，LED５１G、およびLED５１Bによる光の白色度が基準白色度となっていると判定された場合、処理はステップＳ５９に進む。
【００９６】
ステップＳ５９乃至Ｓ６２の処理は、上述した図３のステップＳ１６乃至Ｓ１９の処理とそれぞれ同様であるので、その説明は省略する。
【００９７】
以上のようにして、基準白色度となるLED電流値の組合せを決定することができる。
【００９８】
さらに、図９に示すLUT作成処理によって、基準白色度となるLED電流値の組み合わせを決定してもよい。即ち、図９は、光源制御回路３２によるさらにその他のLUT作成処理のフローチャートを示している。
【００９９】
ステップＳ８１において、色度制御部６２は、基準白色度のXw，Yw,Zw値と光束量を計算する。ここで、Xw,Yw,Zw値は、CIE１９３１ＸＹＺ表色系における基準白色度のＸＹＺ値である。また、後述するXrij,Yrij,Zrij値、Xgij,Ygij,Zgij値、およびXbij,Ybij,Zbij値は、それぞれ、領域Ａijで観測される、CIE１９３１ＸＹＺ表色系におけるR,G、およびBのＸＹＺ値を表す。
【０１００】
また、ステップＳ８１において、パルス幅決定部７１は、色度調整時のパルス幅として予め決定されたパルス幅Ｗをパルス生成部７２に供給し、パルス生成部７２は、パルス幅決定部７１から供給されたパルス幅Ｗのパルス信号を生成して、領域Ａijのスイッチング素子５３に供給する。
【０１０１】
ステップＳ８２において、電流値決定部７５は、基準電流値におけるRの発光スペクトル［mW/nm］を測定する。そして、ステップＳ８３において、電流値決定部７５は、基準電流値におけるRのXrij,Yrij,Zrij値と光束量を計算する。
【０１０２】
ステップＳ８４において、電流値決定部７５は、基準電流値におけるGの発光スペクトル［mW/nm］を測定する。そして、ステップＳ８５において、電流値決定部７５は、基準電流値におけるGのXgij,Ygij,Zgij値と光束量を計算する。
【０１０３】
ステップＳ８６において、電流値決定部７５は、基準電流値におけるBの発光スペクトル［mW/nm］を測定する。そして、ステップＳ８７において、電流値決定部７５は、基準電流値におけるBのXbij,Ybij,Zbij値と光束量を計算する。
【０１０４】
ステップＳ８８において、電流値決定部７５は、
【数１】
2008181749.tif 000003
により、基準電流値に対する係数Krij,Kgij,Kbijを求める。
【０１０５】
ステップＳ８９において、電流値決定部７５は、（KrijXrij,KrijYrij,KrijZrij）の光束量を計算し、その値となるように、RのLED電流値ＩRijを変更する。例えば、電流値決定部７５は、（KrijXrij,KrijYrij,KrijZrij）の光束量を計算し、その値となるまで、RのLED電流値ＩRijを増やす。
【０１０６】
ステップＳ９０において、電流値決定部７５は、（KgijXgij,KgijYgij,KgijZgij）の光束量を計算し、その値となるように、GのLED電流値ＩGijを変更する。
【０１０７】
ステップＳ９１において、電流値決定部７５は、（KbijXbij,KbijYbij,KbijZbij）の光束量を計算し、その値となるように、BのLED電流値ＩBijを変更する。
【０１０８】
ステップＳ９２において、電流値決定部７５は、領域ＡijのLED５１R，LED５１G、およびLED５１Bによる光の白色度が基準白色度となっているかを判定する。
【０１０９】
ステップＳ９２で、領域ＡijのLED５１R，LED５１G、およびLED５１Bによる光の白色度が基準白色度となっていないと判定された場合、処理はステップＳ８２に戻り、ステップＳ８２乃至Ｓ９２の処理が再度実行される。なお、２回目以降のステップＳ８２乃至Ｓ８８の処理では、基準電流値ではなくて、ステップＳ８９乃至Ｓ９１で設定された電流値で処理が実行される。
【０１１０】
一方、ステップＳ９２で、領域ＡijのLED５１R，LED５１G、およびLED５１Bによる光の白色度が基準白色度となっていると判定された場合、ステップＳ９３において、電流値決定部７５は、バックライト１２のすべての領域について、基準白色度となるLED電流値を求めたかを判定する。
【０１１１】
ステップＳ９３で、バックライト１２のすべての領域について、基準白色度となるLED電流値をまだ求めていないと判定された場合、処理はステップＳ８２に戻り、基準白色度となるLED電流値を求めていない領域Ａijに対して、上述したステップＳ８２乃至Ｓ９３の処理が実行される。その結果、基準白色度となるLED電流値をまだ求めていない領域ＡijのLED電流値ＩRij，ＩG0、およびＩBijが求められる。
【０１１２】
一方、ステップＳ９３で、バックライト１２のすべての領域について、基準白色度となるLED電流値を求めたと判定された場合、ステップＳ９４において、電流値決定部７５は、領域Ａ11乃至Ａ56において同一の白色度および発光輝度となる、LED電流値ＩRij，ＩG0、およびＩBijと係数Krij,Kgij、およびKbijを、LUTとしてメモリ７３に記憶させ、処理を終了する。
【０１１３】
以上のように、液晶表示装置１によれば、LUTとしてメモリ７３に記憶されている、光源BL11乃至BL56のすべてが同一の白色度および発光輝度の光を発するように予め調整されたLED電流値が、各領域ＡijのLED５１R、LED５１G、およびLED５１Bに供給される。また、液晶表示装置１によれば、各領域Ａijの発光輝度は、パルス信号のパルス幅Ｗによって制御される。このパルス幅Ｗは、各領域ＡijのLED５１R、LED５１G、およびLED５１Bに対しては同一とすることができる。従って、バックライト１２の点灯領域全面において同一の白色度で発光させつつ、不要な発光輝度を抑制する制御を簡単に行うことができる。また、入力された画像信号に応じて不要な発光輝度を抑制することで、低消費電力および高コントラスト比を実現することができる。
【０１１４】
本明細書において、フローチャートに記述されたステップは、記載された順序に沿って時系列的に行われる処理はもちろん、必ずしも時系列的に処理されなくとも、並列的あるいは個別に実行される処理をも含むものである。
【０１１５】
なお、本発明の実施の形態は、上述した実施の形態に限定されるものではなく、本発明の要旨を逸脱しない範囲において種々の変更が可能である。
【図面の簡単な説明】
【０１１６】
【図１】本発明を適用した液晶表示装置の一実施の形態の構成例を示すブロック図である。
【図２】バックライトと光源制御回路の詳細構成例を示すブロック図である。
【図３】LUT作成処理について説明するフローチャートである。
【図４】LUTの例を示す図である。
【図５】LUTのその他の例を示す図である。
【図６】バックライト制御処理について説明するフローチャートである。
【図７】LEDに流れる電流値の例を示す図である。
【図８】その他のLUT作成処理について説明するフローチャートである。
【図９】さらにその他のLUT作成処理について説明するフローチャートである。
【符号の説明】
【０１１７】
１  液晶表示装置，  １２  バックライト，  １３  制御部，  １４  電源供給部，  ３２  光源制御回路，  ６１  輝度制御部，  ６２  色度制御部，  ７１  パルス幅決定部，  ７２  パルス生成部，  ７３  メモリ，  ７４  電流制御部，  ７５  電流値決定部
【図１】
2008181749.tif 000004
【図２】
2008181749.tif 000005
【図３】
2008181749.tif 000006
【図４】
2008181749.tif 000007
【図５】
2008181749.tif 000008
【図６】
2008181749.tif 000009
【図７】
2008181749.tif 000010
【図８】
2008181749.tif 000011
【図９】
2008181749.tif 000012